(57)【要約】【課題】任意の変調方式や符号化率で被測定装置の特性を測定することができる測定装置及び測定方法を提供する。【解決手段】測定装置１０は、ＤＵＴ１から送信されたフレームを受信する受信部１３ｂと、受信部１３ｂによって受信されたフレームが有する受信ＭＣＳインデックスが、予め定められた比較用ＭＣＳインデックスと一致するか否かを判断するＭＣＳ判断部１７ａと、ＭＣＳ判断部１７ａによって受信ＭＣＳインデックスと比較用ＭＣＳインデックスとが一致すると判断された場合には通知信号をＤＵＴに送信し、一致しないと判断された場合には通知信号を送信しない送信部１３ａと、受信ＭＣＳインデックスと比較用ＭＣＳインデックスとが一致すると判断された当該フレームに含まれる被測定データを測定する測定部１４と、を備える。【選択図】図５
2018207304.tif 000002
【特許請求の範囲】
【請求項１】
予め定められた変調方式及び符号化率を用いて生成されたフレームを所定の送信先に送信した後に、前記フレームが前記送信先に受信されたことを示す通知信号を受信しなかった場合に、前記変調方式及び前記符号化率の少なくとも一方を前記送信先への送達確率が高まるよう変更したフレームを再送する被測定装置（１）を測定する測定装置（１０）であって、
前記被測定装置から送信された前記フレームを受信するフレーム受信手段（１３ｂ）と、
前記フレーム受信手段によって受信された前記フレームの前記変調方式及び前記符号化率の少なくとも一方が予め定められた条件を満たすか否かを判断する判断手段（１７ａ）と、
前記判断手段によって前記条件を満たすと判断された場合には前記通知信号を前記被測定装置に送信し、前記条件を満たさないと判断された場合には前記通知信号を送信しない通知信号処理手段（１３ａ）と、
前記判断手段によって前記条件を満たすと判断された当該フレームに含まれる被測定データを測定する測定手段（１４）と、
を備えたことを特徴とする測定装置。
【請求項２】
前記被測定装置が送信する前記フレームは、前記変調方式と前記符号化率とが関連付けられた変調符号化方式インデックスの情報を含み、前記被測定装置は、前記通知信号を受信しなかった場合に、前記変調符号化方式インデックスの値をより小さい値に変更したフレームを再送するものであって、
前記判断手段は、前記変調符号化方式インデックスの値が所定値と一致するか否かを判断するものであり、
前記通知信号処理手段は、前記判断手段によって前記変調符号化方式インデックスの値が前記所定値と一致すると判断された場合に前記通知信号を前記被測定装置に送信するものであり、
前記測定手段は、前記判断手段によって前記変調符号化方式インデックスの値が前記所定値と一致すると判断された当該フレームに含まれる被測定データを測定するものである、
ことを特徴とする請求項１に記載の測定装置。
【請求項３】
変調方式と符号化率とが関連付けられた変調符号化方式インデックスの値に基づいて生成されたフレームをフレーム要求信号に応じて所定の送信先に送信した後に、前記フレームが前記送信先に受信されたことを示す通知信号を受信しなかった場合に、前記送信先への送達確率が高まるよう前記変調符号化方式インデックスの値を変更したフレームを再送する被測定装置（２）を測定する測定装置（２０）であって、
前記被測定装置から送信された前記フレームを受信するフレーム受信手段（１３ｂ）と、
前記フレーム受信手段によって受信された前記フレームの前記変調符号化方式インデックスと所定値とを比較する比較手段（２１ａ）と、
前記比較手段によって前記変調符号化方式インデックスが所定値以下と判断された場合には前記通知信号を前記被測定装置に送信し、前記変調符号化方式インデックスが所定値以下と判断されなかった場合には前記通知信号を送信しない通知信号処理手段（２１ｂ）と、
前記比較手段によって前記変調符号化方式インデックスが所定値未満と判断された場合に前記フレーム要求信号を前記被測定装置に送信する要求信号送信手段（１３ｃ）と、
前記比較手段によって前記変調符号化方式インデックスの値が前記所定値と一致すると判断された場合に当該フレームに含まれる被測定データを測定する測定手段（１４）と、
を備えたことを特徴とする測定装置。
【請求項４】
前記フレーム受信手段は、前記被測定装置がピングコマンドに応じて送信する応答フレームを前記フレームとして受信するものであって、
前記測定手段は、前記応答フレームに含まれる被測定データを測定するものである、
ことを特徴とする請求項１から請求項３までのいずれか１項に記載の測定装置。
【請求項５】
前記フレーム受信手段は、前記フレームとして、ＩＥＥＥ８０２．１１規格に準拠したフレームを受信するものであることを特徴とする請求項１から請求項４までのいずれか１項に記載の測定装置。
【請求項６】
請求項１に記載の測定装置（１０）を用いて前記被測定装置（１）を測定する測定方法であって、
前記被測定装置から送信された前記フレームを受信するフレーム受信ステップ（Ｓ１３）と、
前記フレーム受信ステップにおいて受信した前記フレームの前記変調方式及び前記符号化率の少なくとも一方が予め定められた条件を満たすか否かを判断し、前記条件を満たすと判断された場合には前記通知信号を前記被測定装置に送信し、前記条件を満たさないと判断された場合には前記通知信号を送信しない判断ステップ（Ｓ１４）と、
前記判断ステップにおいて前記条件を満たすと判断された当該フレームの特性を測定する測定ステップ（Ｓ１７）と、
を含むことを特徴とする測定方法。
【請求項７】
前記被測定装置が送信する前記フレームは、前記変調方式と前記符号化率とが関連付けられた変調符号化方式インデックスの情報を含み、前記被測定装置は、前記通知信号を受信しなかった場合に、前記変調符号化方式インデックスの値をより小さい値に変更したフレームを再送するものであって、
前記判断ステップにおいて、前記変調符号化方式インデックスの値が所定値と一致するか否かを判断し、前記変調符号化方式インデックスの値が前記所定値と一致すると判断された場合に前記通知信号を前記被測定装置に送信し、
前記測定ステップにおいて、前記判断ステップで前記変調符号化方式インデックスの値が前記所定値と一致すると判断された当該フレームに含まれる被測定データを測定する、
ことを特徴とする請求項６に記載の測定方法。
【請求項８】
請求項３に記載の測定装置（２０）を用いて前記被測定装置（２）を測定する測定方法であって、
前記被測定装置から送信された前記フレームを受信するフレーム受信ステップ（Ｓ１３）と、
前記フレーム受信ステップにおいて受信した前記フレームの前記変調符号化方式インデックスと所定値とを比較する比較ステップ（Ｓ２１）と、
前記比較ステップにおいて前記変調符号化方式インデックスが所定値以下と判断された場合には前記通知信号を前記被測定装置に送信する通知信号処理ステップ（Ｓ２２）と、
前記比較ステップにおいて前記変調符号化方式インデックスが所定値未満と判断された場合に前記フレーム要求信号を前記被測定装置に送信する要求信号送信ステップ（Ｓ１２）と、
前記比較ステップにおいて前記変調符号化方式インデックスの値が前記所定値と一致すると判断された場合に当該フレームに含まれる被測定データを測定する測定ステップ（Ｓ１７）と、
を含むことを特徴とする測定方法。
【発明の詳細な説明】
【技術分野】
【０００１】
本発明は、例えば無線ＬＡＮの通信規格に基づいて動作する被測定装置を測定する測定装置及び測定方法に関する。
【背景技術】
【０００２】
情報通信技術の発展に伴って多様な無線通信技術が開発されている。このうち無線ＬＡＮの技術に関する通信規格としては、例えばＩＥＥＥ８０２．１１ｎが知られている。このＩＥＥＥ８０２．１１ｎでは、データ処理速度が最大５４０Ｍｂｐｓ以上である高処理率（High Throughput:ＨＴ）をサポートし、送信エラーを最小化し、データ速度を最適化するために送信側及び受信側の両方に多重アンテナを使用するＭＩＭＯ（Multiple Inputs and Multiple Outputs）技術の適用が導入されている。
【０００３】
近年、無線ＬＡＮの普及が活性化され、ＩＥＥＥ８０２．１１ｎがサポートするデータ処理速度よりも高い処理率をサポートするための新しい無線ＬＡＮシステムの必要性が生じており、ＩＥＥＥ８０２．１１ｎ無線ＬＡＮシステムの次のバージョンとして次世代無線ＬＡＮシステムが提案されている。例えば、ＩＥＥＥ８０２．１１ａｃは、超高処理率（Very High Throughput:ＶＨＴ）をサポートするために開発された新しい通信規格である。
【０００４】
前述したＩＥＥＥ８０２．１１ｎやＩＥＥＥ８０２．１１ａｃ等の通信規格では、無線ＬＡＮのデータストリームの伝送において、変調符号化方式(Modulation and Coding Scheme：ＭＣＳ)を用いて、変調方式や符号化率などの組み合わせを選択できるようになっている。
【０００５】
例えば、特許文献１に記載の通信システムでは、基地局装置が、宛先の端末装置ごとにＭＣＳを指定するＭＣＳ制御部を備え、ＩＥＥＥ８０２．１１ｎの通信規格に基づいた通信を行うようになっている。
【先行技術文献】
【特許文献】
【０００６】
【特許文献１】特開２０１６−１６３２９０号公報
【発明の概要】
【発明が解決しようとする課題】
【０００７】
ところで、例えば、特許文献１に記載の端末装置を被測定装置として測定することを想定すると、ＩＥＥＥ８０２．１１ｎの通信規格に基づいてＭＣＳを設定することにより、ユーザが所望する任意の変調方式や符号化率で被測定装置にデータを生成させて送信させ、そのデータを解析すれば、任意の変調方式や符号化率で被測定装置の特性を測定することが可能となる。
【０００８】
しかしながら、例えばＩＥＥＥ８０２．１１ａｃの通信規格では、ＭＣＳに関する規格が変更されたため、任意の変調方式や符号化率で被測定装置の特性を測定することが困難となり、その対応が求められていた。
【０００９】
本発明は、前述の事情に鑑みてなされたものであり、任意の変調方式や符号化率で被測定装置の特性を測定することができる測定装置及び測定方法を提供することを目的とする。
【課題を解決するための手段】
【００１０】
本発明の請求項１に係る測定装置は、予め定められた変調方式及び符号化率を用いて生成されたフレームを所定の送信先に送信した後に、前記フレームが前記送信先に受信されたことを示す通知信号を受信しなかった場合に、前記変調方式及び前記符号化率の少なくとも一方を前記送信先への送達確率が高まるよう変更したフレームを再送する被測定装置（１）を測定する測定装置（１０）であって、前記被測定装置から送信された前記フレームを受信するフレーム受信手段（１３ｂ）と、前記フレーム受信手段によって受信された前記フレームの前記変調方式及び前記符号化率の少なくとも一方が予め定められた条件を満たすか否かを判断する判断手段（１７ａ）と、前記判断手段によって前記条件を満たすと判断された場合には前記通知信号を前記被測定装置に送信し、前記条件を満たさないと判断された場合には前記通知信号を送信しない通知信号処理手段（１３ａ）と、前記判断手段によって前記条件を満たすと判断された当該フレームに含まれる被測定データを測定する測定手段（１４）と、を備えた構成を有している。
【００１１】
この構成により、本発明の請求項１に係る測定装置は、変調方式及び符号化率の少なくとも一方が予め定められた条件を満たすまで通知信号を被測定装置に送信しないので、被測定装置は、通知信号を受信するまで、変調方式及び符号化率の少なくとも一方を送達確率が高まるよう変更したフレームを再送することとなる。
【００１２】
その結果、本発明の請求項１に係る測定装置は、変調方式及び符号化率の少なくとも一方が予め定められた条件を満した場合に、当該フレームを測定対象とすることができる。
【００１３】
したがって、本発明の請求項１に係る測定装置は、任意の変調方式や符号化率で被測定装置の特性を測定することができる。
【００１４】
本発明の請求項２に係る測定装置は、前記被測定装置が送信する前記フレームは、前記変調方式と前記符号化率とが関連付けられた変調符号化方式インデックスの情報を含み、前記被測定装置は、前記通知信号を受信しなかった場合に、前記変調符号化方式インデックスの値をより小さい値に変更したフレームを再送するものであって、前記判断手段は、前記変調符号化方式インデックスの値が所定値と一致するか否かを判断するものであり、前記通知信号処理手段は、前記判断手段によって前記変調符号化方式インデックスの値が前記所定値と一致すると判断された場合に前記通知信号を前記被測定装置に送信するものであり、前記測定手段は、前記判断手段によって前記変調符号化方式インデックスの値が前記所定値と一致すると判断された当該フレームに含まれる被測定データを測定するものである構成を有している。
【００１５】
この構成により、本発明の請求項２に係る測定装置は、変調符号化方式インデックスの値が所定値と一致すると判断された当該フレームに含まれる被測定データを測定するので、任意の変調方式や符号化率で被測定装置の特性を測定することができる。
【００１６】
本発明の請求項３に係る測定装置は、変調方式と符号化率とが関連付けられた変調符号化方式インデックスの値に基づいて生成されたフレームをフレーム要求信号に応じて所定の送信先に送信した後に、前記フレームが前記送信先に受信されたことを示す通知信号を受信しなかった場合に、前記送信先への送達確率が高まるよう前記変調符号化方式インデックスの値を変更したフレームを再送する被測定装置（２）を測定する測定装置（２０）であって、前記被測定装置から送信された前記フレームを受信するフレーム受信手段（１３ｂ）と、前記フレーム受信手段によって受信された前記フレームの前記変調符号化方式インデックスと所定値とを比較する比較手段（２１ａ）と、前記比較手段によって前記変調符号化方式インデックスが所定値以下と判断された場合には前記通知信号を前記被測定装置に送信し、前記変調符号化方式インデックスが所定値以下と判断されなかった場合には前記通知信号を送信しない通知信号処理手段（２１ｂ）と、前記比較手段によって前記変調符号化方式インデックスが所定値未満と判断された場合に前記フレーム要求信号を前記被測定装置に送信する要求信号送信手段（１３ｃ）と、前記比較手段によって前記変調符号化方式インデックスの値が前記所定値と一致すると判断された場合に当該フレームに含まれる被測定データを測定する測定手段（１４）と、を備えた構成を有している。
【００１７】
この構成により、本発明の請求項３に係る測定装置は、変調符号化方式インデックスの値が所定値と一致すると判断された場合に当該フレームに含まれる被測定データを測定するので、任意の変調方式や符号化率で被測定装置の特性を測定することができる。
【００１８】
本発明の請求項４に係る測定装置は、前記フレーム受信手段は、前記被測定装置がピングコマンドに応じて送信する応答フレームを前記フレームとして受信するものであって、前記測定手段は、前記応答フレームに含まれる被測定データを測定するものである構成を有している。
【００１９】
この構成により、本発明の請求項４に係る測定装置は、被測定装置がピングコマンドに応じて送信する応答フレームに含まれる被測定データを測定することができる。
【００２０】
本発明の請求項５に係る測定装置は、前記フレーム受信手段は、前記フレームとして、ＩＥＥＥ８０２．１１規格に準拠したフレームを受信するものである構成を有している。
【００２１】
この構成により、本発明の請求項５に係る測定装置は、ＩＥＥＥ８０２．１１規格に準拠したフレームに含まれる被測定データを測定することができる。
【００２２】
本発明の請求項６に係る測定方法は、請求項１に記載の測定装置（１０）を用いて前記被測定装置（１）を測定する測定方法であって、前記被測定装置から送信された前記フレームを受信するフレーム受信ステップ（Ｓ１３）と、前記フレーム受信ステップにおいて受信した前記フレームの前記変調方式及び前記符号化率の少なくとも一方が予め定められた条件を満たすか否かを判断し、前記条件を満たすと判断された場合には前記通知信号を前記被測定装置に送信し、前記条件を満たさないと判断された場合には前記通知信号を送信しない判断ステップ（Ｓ１４）と、前記判断ステップにおいて前記条件を満たすと判断された当該フレームの特性を測定する測定ステップ（Ｓ１７）と、を含む構成を有している。
【００２３】
この構成により、本発明の請求項６に係る測定方法は、変調方式及び符号化率の少なくとも一方が予め定められた条件を満たすまで通知信号を被測定装置に送信しないので、被測定装置は、通知信号を受信するまで、変調方式及び符号化率の少なくとも一方を送達確率が高まるよう変更したフレームを再送することとなる。
【００２４】
その結果、本発明の請求項６に係る測定方法は、変調方式及び符号化率の少なくとも一方が予め定められた条件を満した場合に、当該フレームを測定対象とすることができる。
【００２５】
したがって、本発明の請求項６に係る測定方法は、任意の変調方式や符号化率で被測定装置の特性を測定することができる。
【００２６】
本発明の請求項７に係る測定方法は、前記被測定装置が送信する前記フレームは、前記変調方式と前記符号化率とが関連付けられた変調符号化方式インデックスの情報を含み、前記被測定装置は、前記通知信号を受信しなかった場合に、前記変調符号化方式インデックスの値をより小さい値に変更したフレームを再送するものであって、前記判断ステップにおいて、前記変調符号化方式インデックスの値が所定値と一致するか否かを判断し、前記変調符号化方式インデックスの値が前記所定値と一致すると判断された場合に前記通知信号を前記被測定装置に送信し、前記測定ステップにおいて、前記判断ステップで前記変調符号化方式インデックスの値が前記所定値と一致すると判断された当該フレームに含まれる被測定データを測定する構成を有している。
【００２７】
この構成により、本発明の請求項７に係る測定方法は、変調符号化方式インデックスの値が所定値と一致すると判断された当該フレームに含まれる被測定データを測定するので、任意の変調方式や符号化率で被測定装置の特性を測定することができる。
【００２８】
本発明の請求項８に係る測定方法は、請求項３に記載の測定装置（２０）を用いて前記被測定装置（２）を測定する測定方法であって、前記被測定装置から送信された前記フレームを受信するフレーム受信ステップ（Ｓ１３）と、前記フレーム受信ステップにおいて受信した前記フレームの前記変調符号化方式インデックスと所定値とを比較する比較ステップ（Ｓ２１）と、前記比較ステップにおいて前記変調符号化方式インデックスが所定値以下と判断された場合には前記通知信号を前記被測定装置に送信する通知信号処理ステップ（Ｓ２２）と、前記比較ステップにおいて前記変調符号化方式インデックスが所定値未満と判断された場合に前記フレーム要求信号を前記被測定装置に送信する要求信号送信ステップ（Ｓ１２）と、前記比較ステップにおいて前記変調符号化方式インデックスの値が前記所定値と一致すると判断された場合に当該フレームに含まれる被測定データを測定する測定ステップ（Ｓ１７）と、を含む構成を有している。
【００２９】
この構成により、本発明の請求項８に係る測定方法は、変調符号化方式インデックスの値が所定値と一致すると判断された当該フレームに含まれる被測定データを測定するので、任意の変調方式や符号化率で被測定装置の特性を測定することができる。
【発明の効果】
【００３０】
本発明は、任意の変調方式や符号化率で被測定装置の特性を測定することができるという効果を有する測定装置及び測定方法を提供することができるものである。
【図面の簡単な説明】
【００３１】
【図１】ＩＥＥＥ８０２．１１ｎの通信規格に準拠して送受信されるフレームに含まれる「Supported MCS Set field」の構成を示す図である。
【図２】ＩＥＥＥ８０２．１１ｎの通信規格におけるシングルストリームでのＭＣＳを示す図である。
【図３】ＩＥＥＥ８０２．１１ａｃの通信規格に準拠して送受信されるフレームに含まれる「Rx VHT-MCS Map Subfield」の構成を示す図である。
【図４】ＩＥＥＥ８０２．１１ａｃの通信規格におけるＭＣＳを示す図である。
【図５】本発明に係る測定装置の一実施形態におけるブロック構成図である。
【図６】本発明に係る測定装置の一実施形態におけるＰｉｎｇリプライフレームの構成例を示す図である。
【図７】本発明に係る測定装置の一実施形態におけるフローチャートである。
【図８】図７に示したフローチャートにおけるステップＳ１２からＳ１５までのフレームの送受信についての説明図である。
【図９】本発明に係る測定装置の一実施形態の変形例におけるブロック構成図である。
【図１０】本発明に係る測定装置の一実施形態の変形例におけるフローチャートである。
【発明を実施するための形態】
【００３２】
まず、本発明の実施形態を説明する前に、ＭＣＳについて説明する。この説明において、ＩＥＥＥ８０２．１１ｎの通信規格を「ＨＴ（１１ｎ）」、ＩＥＥＥ８０２．１１ａｃの通信規格を「ＶＨＴ（１１ａｃ）」と略記する。
【００３３】
図１は、ＨＴ（１１ｎ）で送受信されるフレームに含まれる「Supported MCS Set field」の構成を示す図である。この「Supported MCS Set field」には、図示のように、Ｂ０〜Ｂ７６の７７ビットに「Rx MCS Bitmask」の領域があり、７７通りのＭＣＳを設定できる仕様になっている。
【００３４】
図２は、ＨＴ（１１ｎ）で設定可能な７７通りのＭＣＳのうち、空間ストリーム数が１のシングルストリームを対象とした８通りのＭＣＳを示している。図２に示すように、変調方式と符号化率とが組み合わされており、所望の組合せをＭＣＳインデックスで指定できる仕様となっている。図示のように、ＭＣＳインデックスの値が低下するほど送達確率が高まる仕様になっている。
【００３５】
図２において、例えば、変調方式ＢＰＳＫ、符号化率１／２のＭＣＳインデックス＝０（ＭＣＳ０）を指定する場合には、図１に示した「Rx MCS Bitmask」領域のＢ０のビットを立てることにより実現できる。すなわち、ＨＴ（１１ｎ）では、「Rx MCS Bitmask」の所望のＭＣＳインデックスのみビットを１（Supported）にし、その他のビットを０（Not supported）とすることにより、所望の変調方式と符号化率とが設定できる仕様となっている。
【００３６】
図３は、ＶＨＴ（１１ａｃ）で送受信されるフレームに含まれる「Rx VHT-MCS Map Subfield」の構成を示す図である。図示のように、ＶＨＴ（１１ａｃ）では、空間ストリーム数ごとにＭＣＳが設定できる仕様となっている。具体的には、例えばＢ０〜Ｂ１の２ビットは空間ストリーム数が１のシングルストリーム、例えばＢ１４〜Ｂ１５の２ビットは空間ストリーム数が８のストリーム（ＭＩＭＯ）でのＭＣＳが設定できる仕様となっている。ＶＨＴ（１１ａｃ）では、図４に示すように、空間ストリーム数ごとに１０通りのＭＣＳ０〜９が設定できる。図示のように、ＭＣＳインデックスの値が低下するほど送達確率が高まる仕様になっている。
【００３７】
しかしながら、ＶＨＴ（１１ａｃ）の「Rx VHT-MCS Map Subfield」では、ＨＴ（１１ｎ）の「Rx MCS Bitmask」のように"Supported"又は"Not supported"形式で所望のＭＣＳインデックスを表現することはできない可能性がある。具体的には、ＶＨＴ（１１ａｃ）では、００Ｂ（２進数）の設定でＶＨＴ−ＭＣＳ０〜７が、０１Ｂの設定でＶＨＴ−ＭＣＳ０〜８が、１１Ｂの設定でＶＨＴ−ＭＣＳ０〜９がそれぞれ表現され、これら３種類の表現しかできない仕様になっているからである。
【００３８】
したがって、［発明が解決しようとする課題］欄で述べたように、ＩＥＥＥ８０２．１１ａｃ等の次世代の通信規格では、任意の変調方式や符号化率で被測定装置の特性を測定することが困難となっている。
【００３９】
そこで、この課題を解決するため、本実施形態における測定装置は、図５に示す構成を有している。
【００４０】
すなわち、図５に示すように、本実施形態における測定装置１０は、被測定装置としてのＤＵＴ１と無線通信を行ってＤＵＴ１を測定するものである。本実施形態では、測定装置１０は無線ＬＡＮ親機（AP：Access Point）として動作し、ＤＵＴ１は無線ＬＡＮ子機（STA:STAtion）として動作するものとするが、これに限定されず、測定装置１０が無線ＬＡＮ子機、ＤＵＴ１が無線ＬＡＮ親機として動作するものであってもよい。また、測定装置１０は、ＩＥＥＥ８０２．１１ａｃに準拠する通信規格に基づいて、ＤＵＴ１と通信するものとする。
【００４１】
ＤＵＴ１は、予め定められた変調方式及び符号化率を用いて生成されたフレームを送信先である測定装置１０に送信した後に、当該フレームが測定装置１０に受信されたことを示す通知信号を受信しなかった場合に、測定装置１０への送達確率が高まるようＭＣＳインデックスの値をより低下させたフレームを再送するものである。
【００４２】
具体的には、ＤＵＴ１は、例えば、最初にＶＨＴ−ＭＣＳ９で送信したフレームの通知信号を受信しなかった場合には、ＭＣＳインデックスの値をＶＨＴ−ＭＣＳ８に低下させたフレームを再送信し、さらにその通知信号を受信しなかった場合には、ＭＣＳインデックスの値をＶＨＴ−ＭＣＳ７に低下させたフレームを再送信する、といった動作を行うものである。
【００４３】
測定装置１０は、送信データ生成部１１、フレーム生成部１２、送受信部１３、測定部１４、表示部１５、ＭＣＳ記憶部１６、通知信号処理部１７を備えている。この測定装置１０は、ＣＰＵ、ＲＯＭ、ＲＡＭ、各種インタフェースが接続される入出力回路等を備えたマイクロコンピュータを含む。測定装置１０は、ＲＯＭに予め格納された制御プログラムを実行させることにより、マイクロコンピュータを測定装置１０の各機能部として機能させるようになっている。
【００４４】
送信データ生成部１１は、ユーザが設定した送信データを生成し、フレーム生成部１２に出力するようになっている。
【００４５】
フレーム生成部１２は、送信データ生成部１１からのデータを含めたフレームを生成（構成）し、送受信部１３に出力するようになっている。
【００４６】
送受信部１３は、送信部１３ａ及び受信部１３ｂを備え、ＩＥＥＥ８０２．１１ａｃに準拠する通信規格に基づいて、ＤＵＴ１との間で無線通信接続を確立するようになっている。また、送受信部１３は、無線通信接続の確立後に、ＤＵＴ１に対して、測定に関する各種データを送受信するようになっている。
【００４７】
送信部１３ａは、図示を省略したが、符号化処理回路、変調回路、ＤＡＣ（デジタルアナログコンバータ）、アップコンバータ、送信アンテナ等を備え、フレーム生成部１２が生成したフレームに対してディジタル変調やアップコンバート等の処理を行い、アンテナを介してＤＵＴ１に送信するようになっている。この送信部１３ａは、通知信号処理手段の一例である。
【００４８】
受信部１３ｂは、図示を省略したが、受信アンテナ、ダウンコンバータ、ＡＤＣ（アナログデジタルコンバータ）、復調回路、復号化処理回路等を備え、ＤＵＴ１から受信したフレームのうち、後述するＭＣＳ判断部１７ａによって測定対象と判断されたフレームから測定対象の被測定データを抽出して測定部１４に出力するようになっている。この受信部１３ｂは、フレーム受信手段の一例である。
【００４９】
本実施形態では、受信部１３ｂがＤＵＴ１から測定のために受信するフレームは、送信部１３ａがＤＵＴ１に送信したＰｉｎｇ（ピング）リクエストフレームに応答してＤＵＴ１が送信するＰｉｎｇリプライフレームとする。このＰｉｎｇリプライフレームは、例えば図６に示した構成を有している。
【００５０】
すなわち、図６に示すように、ＤＵＴ１から受信するＰｉｎｇリプライフレームは、物理ヘッダと、データフィールドと、を有する。物理ヘッダは、ＭＣＳインデックスの情報を含む。
【００５１】
データフィールドは、８０２．１１ヘッダと、８０２．１１データとで構成されている。８０２．１１データは、ＩＰ（Internet Protocol）ヘッダと、ＩＣＭＰ（Internet Control Message Protocol）ヘッダと、Ｐｉｎｇデータと、ＦＣＳ（Frame Check Sequence）と、を含む。
【００５２】
Ｐｉｎｇデータは、ピングコマンドのデータと、送信特性測定用データと、を含む。送信特性測定用データは、例えば、"００００・・・"、"０１０１・・・"、"１０１０・・・"等のデータパターンを含むものであって、所定の送信特性を測定するためにユーザによって設定されたデータである。測定装置１０は、これらのデータパターンを用いることにより、ＤＵＴ１の送信特性評価において、エラーの発生しやすいデータパターンを把握することができる。
【００５３】
図５に戻り、測定部１４は、受信部１３ｂによって測定対象の被測定データが受信された場合にその被測定データを入力し、ユーザが設定した測定条件に基づいてＤＵＴ１の送信特性の測定を行い、測定結果を表示部１５に出力するようになっている。具体的には、測定部１４は、ＤＵＴ１の送信特性として、例えば、送信パワー、ＥＶＭ（Error Vector Magnitude）、コンスタレーション等を測定可能である。なお、測定部１４は、測定手段の一例である。
【００５４】
表示部１５は、測定部１４によって得られた測定結果を表示するようになっている。
【００５５】
ＭＣＳ記憶部１６は、ユーザが操作部（図示省略）を操作することによって入力したＭＣＳインデックスの情報を記憶するようになっている。
【００５６】
ユーザによってＭＣＳ記憶部１６に記憶されるＭＣＳインデックスの情報としては、送受信部１３がＤＵＴ１との間で無線通信接続を確立する際に用いるＭＣＳインデックス（以下、「接続確立用ＭＣＳインデックス」という）の情報と、無線通信接続後にＤＵＴ１から受信したフレームに含まれるＭＣＳインデックス（以下、「受信ＭＣＳインデックス」という）と比較するための予め定められた比較用ＭＣＳインデックスの情報と、がある。接続確立用ＭＣＳインデックス及び比較用ＭＣＳインデックスの情報は、送受信部１３及び通知信号処理部１７に提供される。
【００５７】
通知信号処理部１７は、ＭＣＳ判断部１７ａ、通知信号送信指示部１７ｂを備えている。
【００５８】
ＭＣＳ判断部１７ａは、ＭＣＳ記憶部１６に記憶された比較用ＭＣＳインデックスと、ＤＵＴ１から受信したフレームに含まれる受信ＭＣＳインデックスとを比較し、両者が一致するか否かを判断するようになっている。そして、ＭＣＳ判断部１７ａは、両者が一致すると判断した場合にはその旨を示すＭＣＳインデックス一致信号を、両者が一致すると判断しなかった場合にはその旨を示すＭＣＳインデックス不一致信号を通知信号送信指示部１７ｂに出力するようになっている。このＭＣＳ判断部１７ａは、判断手段の一例である。
【００５９】
通知信号送信指示部１７ｂは、ＤＵＴ１との間で無線通信接続を確立する際には、ＤＵＴ１から送信されるフレームを受信部１３ｂが受信するごとに通知信号をＤＵＴ１に出力するよう送信部１３ａに指示するようになっている。
【００６０】
また、通知信号送信指示部１７ｂは、無線通信接続後にＤＵＴ１から受信したフレームを測定する際には、ＭＣＳ判断部１７ａからＭＣＳインデックス一致信号を入力した場合に限って通知信号をＤＵＴ１に出力するよう送信部１３ａに指示するようになっている。
【００６１】
前述のように、本実施形態におけるＤＵＴ１は、あるフレームの送信後に、その通知信号を測定装置１０から受信しなかった場合には、送達確率が高まるようＭＣＳインデックスの値を低下させてフレームを再送する構成となっている。
【００６２】
したがって、測定装置１０は、無線通信接続後にＤＵＴ１から受信したフレームに含まれる受信ＭＣＳインデックスの値が比較用ＭＣＳインデックスの値より大きい場合には通知信号をＤＵＴ１に出力せず、受信ＭＣＳインデックスの値が比較用ＭＣＳインデックスの値と一致したら通知信号をＤＵＴ１に出力するので、所望する任意の値のフレームを測定対象として測定することが可能となる。
【００６３】
次に、本実施形態における測定装置１０の動作について図７を用いて説明する。以下の動作説明では、ＤＵＴ１が最初に受信ＭＣＳインデックス＝７の情報を含むフレームを送信し、それに対する通知信号を受信しない場合には受信ＭＣＳインデックスの値を１つずつ低下させていくものとする。また、ユーザの設定によって比較用ＭＣＳインデックス＝５（予め定められた条件）がＭＣＳ記憶部１６に記憶されているものとする。
【００６４】
送受信部１３は、ＤＵＴ１との間において、ＩＥＥＥ８０２．１１ａｃに準拠する通信規格に基づいて、認証及び呼の接続の確立処理等を含む無線通信接続処理を行う（ステップＳ１１）。この無線通信接続処理において、送受信部１３は、ＭＣＳ記憶部１６に記憶された接続確立用ＭＣＳインデックスをＤＵＴ１に通知して、その接続確立用ＭＣＳインデックスに基づいて生成されたフレームをＤＵＴ１から受信することができる。なお、接続確立用ＭＣＳインデックスの値と比較用ＭＣＳインデックスの値とが同じであってもよい。
【００６５】
送信部１３ａは、無線通信接続処理の後に、ＰｉｎｇリクエストフレームをＤＵＴ１に送信する（ステップＳ１２）。
【００６６】
受信部１３ｂは、Ｐｉｎｇリクエストフレームに応答したＰｉｎｇリプライフレームを受信したか否かを判断する（ステップＳ１３）。
【００６７】
ステップＳ１３において、Ｐｉｎｇリプライフレームを受信したと判断されなかった場合には、ステップＳ１３を繰り返す。
【００６８】
一方、ステップＳ１３において、Ｐｉｎｇリプライフレームを受信したと判断された場合には、ＭＣＳ判断部１７ａは、受信ＭＣＳインデックスの値が５（比較用ＭＣＳインデックスの値）であるか否かを判断する（ステップＳ１４）。すなわち、ＭＣＳ判断部１７ａは、受信したＰｉｎｇリプライフレームが測定対象であるか否かを判断する。
【００６９】
ステップＳ１４において、受信ＭＣＳインデックスの値が５であると判断されなかった場合には、ステップＳ１３の処理に戻る。すなわち、送受信部１３は、フレームを受信したことを示す通知信号をＤＵＴ１に送信しない。
【００７０】
一方、ステップＳ１４において、受信ＭＣＳインデックスの値が５であると判断された場合には、送信部１３ａは、ＡＣＫフレーム（通知信号）をＤＵＴ１に送信する（ステップＳ１５）。
【００７１】
受信部１３ｂは、ステップＳ１４において受信ＭＣＳインデックスの値が５であると判断された当該Ｐｉｎｇリプライフレームから被測定データを取り出し（ステップＳ１６）、測定部１４に出力する。
【００７２】
測定部１４は、受信部１３ｂから被測定データを入力し、ユーザが指定した送信測定を行う（ステップＳ１７）。
【００７３】
表示部１５は、測定部１４が測定した測定結果を画面に表示する（ステップＳ１８）。
【００７４】
次に、前述のステップＳ１２からＳ１５までのフレームの送受信について、図８を用いて具体的に説明する。
【００７５】
測定装置１０は、ＰｉｎｇリクエストフレームをＤＵＴ１に送信する。ＤＵＴ１は、Ｐｉｎｇリクエストフレームを受信すると、それを受信したことを示すＡＣＫフレームを測定装置１０に送信する。
【００７６】
続いて、ＤＵＴ１は、Ｐｉｎｇリクエストフレームに応答するＰｉｎｇリプライフレーム（ＶＨＴ−ＭＣＳ７）を測定装置１０に送信する。なお、括弧書きは、このＰｉｎｇリプライフレームがＶＨＴ−ＭＣＳ７で生成されていることを示している。
【００７７】
測定装置１０は、Ｐｉｎｇリプライフレーム（ＶＨＴ−ＭＣＳ７）を受信するが、その受信ＭＣＳインデックスの値は５ではないので、ＡＣＫフレームをＤＵＴ１に送信しない。
【００７８】
続いて、ＤＵＴ１は、Ｐｉｎｇリプライフレーム（ＶＨＴ−ＭＣＳ６）を再送し、測定装置１０は、そのＰｉｎｇリプライフレーム（ＶＨＴ−ＭＣＳ６）を受信するが、その受信ＭＣＳインデックスの値は５ではないので、ＡＣＫフレームをＤＵＴ１に送信しない。
【００７９】
さらに、ＤＵＴ１は、Ｐｉｎｇリプライフレーム（ＶＨＴ−ＭＣＳ５）を再送する。測定装置１０は、Ｐｉｎｇリプライフレーム（ＶＨＴ−ＭＣＳ５）を受信し、そのフレームの受信ＭＣＳインデックスの値は５である（予め定められた条件を満たす）ので、ＡＣＫフレームをＤＵＴ１に送信し、当該Ｐｉｎｇリプライフレーム（ＶＨＴ−ＭＣＳ５）を測定対象のフレームとして送信特性を測定する。
【００８０】
以上のように、本実施形態における測定装置１０は、受信ＭＣＳインデックスの値が比較用ＭＣＳインデックスの値と一致又は以下になるまで、通知信号をＤＵＴ１に送信しないので、ＤＵＴ１は、通知信号を受信するまで、送達確率が高まるよう受信ＭＣＳインデックスの値を低下させつつフレームを再送し続けることとなる。
【００８１】
その結果、本実施形態における測定装置１０は、受信ＭＣＳインデックスの値が比較用ＭＣＳインデックスの値と一致又は以下になった場合に、当該フレームを測定対象とすることができる。
【００８２】
したがって、本実施形態における測定装置１０は、ユーザが所望する任意の変調方式や符号化率でＤＵＴ１の特性を測定することができる。
【００８３】
なお、前述の実施形態では、変調方式と符号化率とが組み合わされたＭＣＳインデックスに基づいて通知信号をＤＵＴ１に送信するか否かを判断する構成としたが、本発明はこれに限定されず、変調方式及び前記符号化率の少なくとも一方が予め定められた条件を満たすか否かに基づいて通知信号をＤＵＴ１に送信するか否かを判断する構成としても、前述と同様な効果が得られる。
【００８４】
また、前述の実施形態では、測定装置１０が、ＩＥＥＥ８０２．１１ａｃに準拠する通信規格に基づいてＤＵＴ１と通信するものとしたが、本発明はこれに限定されず、ＩＥＥＥ８０２．１１に準拠する通信規格に基づいてＤＵＴ１と通信するものであれば、前述と同様な効果が得られる。
【００８５】
（変形例）
前述の実施形態では、送信したフレームの通知信号を受信しなかった場合に、ＭＣＳインデックスの値を順次低下させてフレームを再送信するＤＵＴ１を例に挙げて説明した。
【００８６】
一方、ＤＵＴの中には、例えば、ＭＣＳ６で送信したフレームの通知信号を受信しなかった場合に、ＭＣＳ４に低下させたフレームを再送信するものもある。また、例えば、ＭＣＳ４で送信したフレームの通知信号を受信した後に、新たなフレームを要求するフレーム要求信号を受信するとＭＣＳ６に上昇させたフレームを再送信するＤＵＴもある。この種のＤＵＴをＤＵＴ２とし、ＤＵＴ２を測定対象とする測定装置２０について以下説明する。
【００８７】
図９に示すように、本実施形態の変形例における測定装置２０は、図５に示した測定装置１０に対して、通知信号処理部１７に代えて通知信号処理部２１を備え、送受信部１３が要求信号送信部１３ｃを備えている点が異なっている。なお、図５で説明した構成と同様な構成には同一の符号を付して、その説明を省略する場合がある。
【００８８】
通知信号処理部２１は、ＭＣＳ比較部２１ａ、通知信号送信指示部２１ｂを備えている。
【００８９】
ＭＣＳ比較部２１ａは、ＭＣＳ記憶部１６に記憶された比較用ＭＣＳインデックスと、ＤＵＴ２から受信したフレームに含まれる受信ＭＣＳインデックスとを比較するようになっている。このＭＣＳ比較部２１ａは、比較手段の一例である。
【００９０】
また、ＭＣＳ比較部２１ａは、受信ＭＣＳインデックスの値が比較用ＭＣＳインデックスの値未満と判断した場合にはその旨を示す所定値未満信号を、受信ＭＣＳインデックスの値が比較用ＭＣＳインデックスの値を超えると判断した場合にはその旨を示す所定値越え信号を通知信号送信指示部２１ｂに出力するようになっている。
【００９１】
さらに、ＭＣＳ比較部２１ａは、受信ＭＣＳインデックスの値と比較用ＭＣＳインデックスの値とが一致すると判断した場合にはその旨を示すＭＣＳインデックス一致信号を通知信号送信指示部２１ｂに出力するようになっている。
【００９２】
通知信号送信指示部２１ｂは、ＤＵＴ２との間で無線通信接続を確立する際には、ＤＵＴ２から送信されるフレームを受信部１３ｂが受信するごとに通知信号をＤＵＴ２に出力するよう送信部１３ａに指示するようになっている。
【００９３】
また、通知信号送信指示部２１ｂは、無線通信接続後にＤＵＴ２から受信したフレームを測定する際には、ＭＣＳ比較部２１ａから所定値未満信号又はＭＣＳインデックス一致信号を入力した場合に限って通知信号をＤＵＴ２に出力するよう送信部１３ａに指示するようになっている。
【００９４】
さらに、通知信号送信指示部２１ｂは、ＭＣＳ比較部２１ａから所定値未満信号を入力した場合であって、送信部１３ａが通知信号を送信した後に、フレームを要求するためのフレーム要求信号をＤＵＴ２に出力するよう要求信号送信部１３ｃに指示するようになっている。
【００９５】
要求信号送信部１３ｃは、フレームを要求するためのフレーム要求信号（本実施形態ではＰｉｎｇリクエストフレームとする）をＤＵＴ２に送信するようになっている。この要求信号送信部１３ｃは、要求信号送信手段の一例である。
【００９６】
次に、本変形例における測定装置２０の動作について図１０を用いて説明する。なお、図７に示した各ステップと同様な動作には同一の符号を付して説明を省略する場合がある。
【００９７】
ステップＳ１３において、Ｐｉｎｇリプライフレームを受信したと判断された場合には、ＭＣＳ比較部２１ａは、受信ＭＣＳインデックスの値が５（比較用ＭＣＳインデックスの値）以下であるか否かを判断する（ステップＳ２１）。
【００９８】
ステップＳ２１において、受信ＭＣＳインデックスの値が５以下であると判断されなかった場合には、ＭＣＳ比較部２１ａから通知信号送信指示部２１ｂに所定値越え信号が出力され、ステップＳ１３の処理に戻る。すなわち、送受信部１３は、フレームを受信したことを示す通知信号をＤＵＴ２に送信しない。
【００９９】
一方、ステップＳ２１において、受信ＭＣＳインデックスの値が５以下であると判断された場合には、ＭＣＳ比較部２１ａから通知信号送信指示部２１ｂに所定値未満信号又はＭＣＳインデックス一致信号が出力され、送信部１３ａは、ＡＣＫフレーム（通知信号）をＤＵＴ２に送信する（ステップＳ２２）。
【０１００】
ＭＣＳ比較部２１ａは、受信ＭＣＳインデックスの値が５であるか否かを判断する（ステップＳ２３）。すなわち、ＭＣＳ比較部２１ａは、受信したＰｉｎｇリプライフレームが測定対象であるか否かを判断する。
【０１０１】
ステップＳ２３において、受信ＭＣＳインデックスの値が５であると判断された場合には、受信部１３ｂは、ステップＳ２３において受信ＭＣＳインデックスの値が５であると判断された当該Ｐｉｎｇリプライフレームから被測定データを取り出し（ステップＳ１６）、測定部１４に出力する。
【０１０２】
一方、ステップＳ２３において、受信ＭＣＳインデックスの値が５であると判断されなかった場合には、ステップＳ１２の処理に戻る。すなわち、測定装置２０は、要求信号送信部１３ｃにＰｉｎｇリクエストフレーム（フレーム要求信号）をＤＵＴ２に送信させ、受信ＭＣＳインデックスの値が５のフレームを待つこととなる。
【０１０３】
以上のように、測定装置２０は、無線通信接続後にＤＵＴ２から受信したフレームに含まれる受信ＭＣＳインデックスの値が比較用ＭＣＳインデックスの値より大きい場合には通知信号をＤＵＴ２に出力しない。
【０１０４】
また、測定装置２０は、受信ＭＣＳインデックスの値が比較用ＭＣＳインデックスの値以下の場合に通知信号を出力し、両者が一致したフレームのみ測定対象とする。
【０１０５】
したがって、本変形例における測定装置２０は、所望する任意の値のフレームを測定対象として測定することが可能となる。
【産業上の利用可能性】
【０１０６】
以上のように、本発明に係る測定装置及び測定方法は、任意の変調方式や符号化率で被測定装置の特性を測定することができるという効果を有し、例えば無線ＬＡＮの通信規格に基づいて動作する被測定装置を測定する測定装置及び測定方法として有用である。
【符号の説明】
【０１０７】
１  ＤＵＴ（被測定装置）
１０  測定装置
１１  送信データ生成部
１２  フレーム生成部
１３  送受信部
１３ａ  送信部（通知信号処理手段）
１３ｂ  受信部（フレーム受信手段）
１３ｃ  要求信号送信部（要求信号送信手段）
１４  測定部（測定手段）
１５  表示部
１６  ＭＣＳ記憶部
１７  通知信号処理部
１７ａ  ＭＣＳ判断部（判断手段）
１７ｂ、２１ｂ  通知信号送信指示部
２１ａ  ＭＣＳ比較部（比較手段）
【図１】
2018207304.tif 000003
【図２】
2018207304.tif 000004
【図３】
2018207304.tif 000005
【図４】
2018207304.tif 000006
【図５】
2018207304.tif 000007
【図６】
2018207304.tif 000008
【図７】
2018207304.tif 000009
【図８】
2018207304.tif 000010
【図９】
2018207304.tif 000011
【図１０】
2018207304.tif 000012